(57)【特許請求の範囲】
【請求項１】
メモリと、少なくとも１つのプロセッサと、前記メモリに含まれるとともに前記少なくとも１つのプロセッサにより実行されるソフトウェアとを備えるｅノードＢであって、前記ソフトウェアが、
近隣のセルのセル停止を識別し、
前記近隣のセルの前記セル停止の識別に応答して、前記近隣のセルを補償するように、当該ｅノードＢにより提供されるセルを再設定し、
前記セルが前記近隣のセルを補償していることを示すように、当該ｅノードＢにより提供される前記セルに関してセル補償ステータスの状態を“cOCCompensating”に修正し、
前記セル補償ステータスの状態が変更されたことを示す、管理エンティティに対する通知を生成するように構成され、
前記セル補償ステータスの状態が、前記通知において、情報オブジェクトクラス（ＩＯＣ）の“cOCStatus”属性で示され、セル補償ステータスの状態を示す前記“cOCStatus”属性が、前記“cOCCompensating”状態、セル停止補償が前記セルを補償し始めていたことを示すための“cOCActivating”状態、前記セルが補償されていることを示すための“cOCActive”状態、前記セルの前記補償を解除するための活動が完了したことを示すための“cOCDeactivating”状態、及び前記セルに関して補償がないデフォルト状態を示すための“cOCDeactive”状態から選択される、ｅノードＢ。
【請求項２】
前記ソフトウェアが、インタフェース−Ｎ（Ｉｔｆ−Ｎ）を越えて前記通知を送信するように更に構成される、請求項１に記載のｅノードＢ。
【請求項３】
前記通知がＩＲＰマネージャに送信される、請求項１に記載のｅノードＢ。
【請求項４】
前記近隣のセルが第２の近隣のセルを補償する近隣のセルであり、前記ソフトウェアが、前記近隣のセル及び前記第２の近隣のセルの少なくとも一部分を補償するように、前記セルを再設定するように更に構成される、請求項１に記載のｅノードＢ。
【請求項５】
前記ソフトウェアが、Ｉｔｆ−Ｎインタフェースを介して受信されたメッセージに基づいてセル停止を識別するように更に構成される、請求項１に記載のｅノードＢ。
【請求項６】
機械によって実行されたときに前記機械に、
管理エンティティから受信されたメッセージに基づいて近隣のセルの継続的なセル停止を識別する段階と、
前記近隣のセルの継続的なセル停止を識別することに応答して、前記近隣のセルを補償するように、ｅノードＢにより提供されるセルの動作パラメータを修正する段階と、
前記セルが前記近隣のセルを補償していることを示すように、前記ｅノードＢにより提供される前記セルに関してセル補償ステータスの状態を“cOCCompensating”に更新する段階と、
前記セル補償ステータスの状態が変更されたことを示して前記管理エンティティに通知する段階とを含む動作を実行させる命令を含み、
前記セル補償ステータスの状態が、通知において、情報オブジェクトクラス（ＩＯＣ）の“cOCStatus”属性で示され、セル補償ステータスの状態を示す前記“cOCStatus”属性が、前記“cOCCompensating”状態、セル停止補償が前記セルを補償し始めていたことを示すための“cOCActivating”状態、前記セルが補償されていることを示すための“cOCActive”状態、前記セルの前記補償を解除するための活動が完了したことを示すための“cOCDeactivating”状態、及び前記セルに関して補償がないデフォルト状態を示すための“cOCDeactive”状態から選択される、コンピュータプログラム。
【請求項７】
前記近隣のセルが第２の近隣のセルを補償する近隣のセルであり、前記セルの前記動作パラメータを修正する段階のための前記命令が、前記機械によって実行されたときに前記機械に、前記近隣のセル及び前記第２の近隣のセルの少なくとも一部分を補償するように前記セルを修正する段階の動作を実行させる命令を含む、請求項６に記載のコンピュータプログラム。
【請求項８】
前記管理エンティティから受信された前記メッセージが、Ｉｔｆ−Ｎインタフェースを介して受信される、請求項６に記載のコンピュータプログラム。
【請求項９】
前記メッセージが、前記ｅノードＢにより提供される前記セルが前記近隣のセルを補償するように再設定されるべきであることを示すメッセージである、請求項８に記載のコンピュータプログラム。
【請求項１０】
少なくとも１つのプロセッサと、前記少なくとも１つのプロセッサにより実行されるソフトウェアとを備えるネットワーク管理エンティティであって、前記ソフトウェアが、
無線ネットワーク内の第１のセルに関して継続的なセル停止を検出し、
前記セル停止を補償するための第２のセルの再設定を判定し、
前記第２のセルを制御しているネットワークノードに前記第１のセルの前記セル停止を補償するように要求を送信し、
前記第２のセルを制御している前記ネットワークノードから、前記第２のセルが前記第１のセルの前記セル停止を補償していることを示すように前記第２のセルと関連付けられたデータベースの属性が“cOCCompensating”に変更されたことを示す通知を受信するように構成され、
前記属性が、前記通知において示されるとともに、情報オブジェクトクラス（ＩＯＣ）の“cOCStatus”属性であり、前記“cOCStatus”属性が、前記“cOCCompensating”状態、セル停止補償が前記第２のセルを補償し始めていたことを示すための“cOCActivating”状態、前記第２のセルが補償されていることを示すための“cOCActive”状態、前記第２のセルの前記補償を解除するための活動が完了したことを示すための“cOCDeactivating”状態、及び前記第２のセルに関して補償がないデフォルト状態を示すための“cOCDeactive”状態から選択される、ネットワーク管理エンティティ。
【請求項１１】
前記ソフトウェアが、前記第２のセルにおける停止の存在を判定するように更に構成される、請求項１０に記載のネットワーク管理エンティティ。
【請求項１２】
前記ソフトウェアが、前記第２のセルが前記第１のセルを補償していることを判定するために、前記第２のセルに問い合わせを行うように更に構成される、請求項１１に記載のネットワーク管理エンティティ。
【請求項１３】
前記ソフトウェアが、前記第１及び第２のセルを補償するための１つ又は複数の他のセルを判定するように更に構成される、請求項１２に記載のネットワーク管理エンティティ。
【請求項１４】
当該ネットワーク管理エンティティ及び前記第２のセルを制御している前記ネットワークノードが、Ｉｔｆ−Ｎインタフェースを使用して通信する、請求項１０に記載のネットワーク管理エンティティ。
【請求項１５】
前記第２のセルを制御している前記ネットワークノードがｅノードＢである、請求項１０に記載のネットワーク管理エンティティ。
【請求項１６】
機械によって実行されたときに前記機械に、
無線ネットワーク内の第１のセルに関して継続的なセル停止を検出する段階と、
前記セル停止を補償するための第２のセルの再設定を判定する段階と、
前記第２のセルを制御しているネットワークノードに前記第１のセルの前記セル停止を補償するように要求を送信する段階と、
前記第２のセルを制御している前記ネットワークノードから、前記第２のセルが前記第１のセルの前記セル停止を補償していることを示すように前記第２のセルと関連付けられたデータベースの属性が“cOCCompensating”に変更されたことを示す通知を受信する段階とを含む動作を実行させる命令を含み、
前記属性が、前記通知において示されるとともに、情報オブジェクトクラス（ＩＯＣ）の“cOCStatus”属性であり、前記“cOCStatus”属性が、前記“cOCCompensating”状態、セル停止補償が前記第２のセルを補償し始めていたことを示すための“cOCActivating”状態、前記第２のセルが補償されていることを示すための“cOCActive”状態、前記第２のセルの前記補償を解除するための活動が完了したことを示すための“cOCDeactivating”状態、及び前記第２のセルに関して補償がないデフォルト状態を示すための“cOCDeactive”状態から選択される、コンピュータプログラム。
【請求項１７】
前記動作が、前記第２のセルにおける停止の存在を判定する段階を更に含む、請求項１６に記載のコンピュータプログラム。
【請求項１８】
前記動作が、前記第２のセルが前記第１のセルを補償していることを判定するために、前記第２のセルに問い合わせを行う段階を更に含む、請求項１７に記載のコンピュータプログラム。
【請求項１９】
前記動作が、前記第１及び第２のセルを補償するための１つ又は複数の他のセルを判定する段階を更に含む、請求項１８に記載のコンピュータプログラム。
【請求項２０】
ネットワーク管理エンティティ及び前記第２のセルを制御しているネットワークノードが、Ｉｔｆ−Ｎインタフェースを使用して通信する、請求項１６に記載のコンピュータプログラム。
【請求項２１】
前記第２のセルを制御しているネットワークノードがｅノードＢである、請求項１６に記載のコンピュータプログラム。
【請求項２２】
前記ソフトウェアが、
前記近隣のセルの前記セル停止が発生している間に、前記セルのセル停止を識別し、
前記セルのセル補償ステータスの状態に基づいて、前記近隣のセルの前記セル停止が発生している間に、前記セルの前記セル停止の通知に応答して、前記近隣のセルが前記セルにより補償されていることを考慮して、前記セルを補償するように、当該ｅノードＢにより提供される他のセルを再設定し、
前記他のセルが前記セルを補償していることを示すように当該ｅノードＢにより提供される前記他のセルに関してセル補償ステータスの状態を“cOCCompensating”に修正するとともに、当該ｅノードＢにより提供される前記セルに関して前記セル補償ステータスの状態を前記“cOCActive”状態に修正し、そして、
前記セルの前記セル補償ステータスの状態が変更されたことを示す、前記管理エンティティに対する通知、及び前記他のセルの前記セル補償ステータスの状態が変更されたことを示す、前記管理エンティティに対する通知を生成するように更に構成され、
各通知が前記ＩＯＣの前記“cOCStatus”属性を含む、請求項１に記載のｅノードＢ。
【請求項２３】
請求項６から請求項９及び請求項１６から請求項２１のいずれか一項に記載のコンピュータプログラムを記憶したコンピュータ読取り可能な記憶媒体。
【発明の詳細な説明】
【技術分野】
【０００１】
実施例は、自己組織化無線ネットワークに関連する。いくつかの実施例は、セル停止補償に関連している。
【０００２】
「優先権の主張」
この特許出願は、２０１２年１１月１日に出願され、“Advanced  Wireless  Communication  Systems  and  Techniques”と表題が付けられた米国仮特許出願第６１／７２１，４３６号に対する優先権の利益を主張するとともに、それは、この結果、参照によりその全体においてここに組み込まれている。
【０００３】
「著作権表示」
この特許文献の開示の一部分は、著作権保護を受ける構成要素を含む。著作権所有者は、特許文献又は特許開示が特許商標庁の特許ファイル又は特許記録文書に現れるので、特許文献又は特許開示の誰による複製に対しても異議はないが、しかし、その他の点では、どんなものであれ全ての著作権権利を保有する。下記の「Copyright  Intel,  All  Rights  Reserved」という通知は、この文献の一部分を形成する、下記及び図面内で説明されたソフトウェア及びデータに適用される。
【背景技術】
【０００４】
無線ネットワークが発展するにつれて、ネットワークが自らを設定し、自らを修復し、そして自らを最適化することを可能にする新しい解決法が開発されている。これらのネットワークは、一般に自己組織化ネットワークと呼ばれる。
【０００５】
一定の比率で必ずしも描かれるとは限らない図面において、同等の参照番号は、異なる図において同様の構成要素を表現し得る。異なる文字の添え字を有する同等の参照番号は、同様の構成要素の異なる事例を表し得る。図面は、一般に、一例として、しかし限定としてではなく、本文献で論じられるさまざまな実施例を例示する。
【図面の簡単な説明】
【０００６】
【図１】本開示のいくつかの実例によるセル１〜７を有するセルマップを示す図である。
【図２】セル１を補償するセル２を備えた、本開示のいくつかの実例によるセル１〜７を有するセルマップを示す図である。
【図３】セル１を補償するセル３及びセル６を備えた、本開示のいくつかの実例によるセル１〜７を有するセルマップを示す図である。
【図４】セル１及びセル２の両方が停止している、本開示のいくつかの実例によるセル１〜７を有するセルマップを示す図である。
【図５】セル１及びセル２を補償するセル３及びセル５を備えた、本開示のいくつかの実例によるセル１〜７を有するセルマップを示す図である。
【図６】本開示のいくつかの実例によるロングタームエボリューション（ＬＴＥ）無線ネットワークの一部分の概略図を示す図である。
【図７】本開示のいくつかの実例によるＩＲＰマネージャの視点からのセル停止補償のための方法のフローチャートを示す図である。
【図８】本開示のいくつかの実例によるＩＲＰエージェントの視点からのセル停止補償のための方法のフローチャートを示す図である。
【図９】本開示のいくつかの実例による一例のＮＭ及びｅノードＢの概略図を示す図である。
【図１０】本開示のいくつかの実例に従って１つ又は複数の実施例が実装され得る機械の一例を例示する構成図である。
【発明を実施するための形態】
【０００７】
ロングタームエボリューション（ＬＴＥ）無線ネットワークのような無線ネットワークにおいて、セルが、サービスを休止するか、又は過負荷の状態になる場合に、ネットワークにおいて、ユーザが呼を完了すること又はそれらのデータ接続を使用することを妨げるカバレッジホールが開く。これらの問題は、顧客満足が減少することにつながる。カバレッジホールを防止するために、（第３世代パートナーシッププロジェクト−３ＧＰＰのような）標準団体は、セル停止を自動的に補償するための機能を備える自己組織化ネットワーク（ＳＯＮ）を開発した。“セル停止補償（Cell  outage  compensation）”（ＣＯＣ）は、停止を経験しているセルによって引き起こされたカバレッジホールを補償するように１つ又は複数の近隣のセルを自動的に調整する、ＳＯＮにおける機能である。セル停止は、そのセルが完全に利用不可能であるという意味での完全な停止であり得るか、又はトラフィックの過負荷に起因する停止であり得る。隣のセルの再設定は、送信電力、アンテナ傾斜、アンテナ方位、又は他のパラメータを変更することを含み得る。
【０００８】
停止を経験している第１のセルを補償している第２のセルそれ自身が停止を経験する場合、現在のＣＯＣの処理系は、第２のセルが第１のセルを補償しているということを知るためのメカニズムを有していない。今のところ、ＣＯＣ機能は、第２のセルを単に補償し、第１のセルに対応するカバレッジホールを放置するであろう。
【０００９】
いくつかの実例において開示されているのは、第１のセルの識別された停止を受けて、停止を経験する第１のセルと、第１のセルによって補償されている第２のセルとの両方の補償を提供するようにＣＯＣ機能が強化されているシステム、方法、及び機械読取り可能媒体である。いくつかの実例において、メッセージ交換インタフェースのためのメッセージ交換フィールド、及びデータベースフィールドは、第１のセルの補償状態が判定されること及び／又は記録されることを可能にするように修正される。
【００１０】
ここで図１を参照すると、セルマップが示され、セルマップは、セル１〜７と、円によって示された概略のセルのカバレッジエリア（coverage  area：サービスエリア）とを示す。セル１が停止を経験する場合、セル２〜７のうちの１つ又は複数が、セル１の適用範囲（coverage）の損失を補償するように再設定され得る。例えば、図２では、セル２が、セル１を補償するように再設定された。別の実例では、図３において示されたように、複数のセルが、停止を経験しているセルを補償するために利用されることができる。図３では、セル３及びセル６の両方が補償している。
【００１１】
ここで図４を参照すると、セル２がセル１を補償する唯一のセルであり、そして図４において見られ得るように、セル２が停止を経験する場合、このときには２つの適用範囲の空白（coverage  gap）が存在する。１つの適用範囲の空白は、以前はセル１の適用範囲であり、もう１つの適用範囲の空白は、以前はセル２の適用範囲であった。本発明のいくつかの実例によれば、セル２は、セル２がセル１を補償していたことをＣＯＣシステムが確かめることを可能にする情報を保持する。セル２がセル１を補償していたという認識をＣＯＣシステムが有しているので、そのシステムは、セル１とセル２との両方を補償することができる。図５において示された実例では、セル５は、セル１を補償するように再設定され、そしてセル３は、セル２を補償するように再設定される。
【００１２】
ここで図６を参照すると、一例のＬＴＥ無線ネットワーク６０００の一部分が示される。ｅノードＢ６０１０及び６０１５は、ユーザ機器装置（ＵＥ）（図示せず）に対して無線接続性を提供する。それらのｅノードＢは、この接続性を提供する１つ又は複数の無線“セル”を提供する。いくつかの実例において、ｅノードＢ６０１０は、インタフェース−Ｎ（Ｉｔｆ−Ｎ）６０３０を介してネットワークマネージャ（ＮＭ）６０２０に接続されるエレメントマネージャ（element  manager：要素マネージャ）６０４０を有している。エレメントマネージャ（ＥＭ）６０４０は、一連の密接に関係づけられた種類のネットワークエレメントの管理のためのエンドユーザ機能のパッケージを提供する。ＮＭ６０２０は、大部分は（複数の）ＥＭによってサポートされるような、ネットワークの管理のためのエンドユーザ機能のパッケージを提供するが、しかし、ネットワークの管理は、ネットワークエレメント（例えば、ｅノードＢ）に対する直接アクセスを同様に必要とし得る。例えば、ＮＭは、ｅノードＢ、及びｅノードＢに関係するセルの管理とプロビジョニングに関与し得る。ｅノードＢ６０１５は、エレメントマネージャ６０４０を有するドメイン管理ノードに接続されている。ＤＭ６０６０は、さらに、Ｉｔｆ−Ｎ６０３０を越えてＮＭ６０２０と通信する。Ｉｔｆ−Ｎインタフェース６０３０は、このインタフェースの機能的な能力を実現するいくつかの統合参照ポイント（Integration  Reference  Point：ＩＲＰ）によって定義される。ＩＲＰは、要求仕様、情報サービス仕様、及び１つ又は複数の解集合仕様（solution  set  specification）を含むＩｔｆ−Ｎの特定の特徴の定義のための一連の仕様によって示される３ＧＰＰのアーキテクチャ概念である。ＩＲＰエージェント６０５０は、ネットワークエレメント機能の明確に定義されたサブセットをカプセル化する別の３ＧＰＰのアーキテクチャ概念である。ＩＲＰエージェント６０５０は、１つ又は複数のＩＲＰを使用してＩＲＰマネージャ６０８０のようなＩＲＰマネージャと相互に作用する。要約して言えば、ＩＲＰマネージャ６０８０及びＩＲＰエージェント６０５０は、Ｉｔｆ−Ｎ６０３０を介して、一連の管理機能を実施する。
【００１３】
ＮＭ６０２０のＩＲＰマネージャ６０８０は、セル停止を識別するとともに、停止を補償するように他の近隣のセルを再設定することによってＣＯＣ機能を調整する。セル停止は、ｅノードＢによって生成されたアラームを用いて識別され得るか、又はそのセルがその期間の間に扱うべきトラフィックより比較的少ないトラフィックを扱っていることを示す統計値によって識別され得る。一度セル停止が検出されれば、ＮＭは、近隣のセルのうちの１つ又は複数を再設定する。
【００１４】
いくつかの実例によれば、別のセルを補償するように近隣のセルが再設定される場合に、その近隣のセルが隣のセルを補償していることを示すように、セルについて説明する１つ又は複数のデータ構造が修正され得る。いくつかの実例において、このデータ構造は、ｅノードＢ上に保存されるデータベース内に、セルについて説明する情報オブジェクトクラス（Information  Object  Class：ＩＯＣ）の一部分として保存され得る。ＮＭは、近隣のセルが停止を経験しているセルを補償していることを示すために近隣のセルがそのステータスを変更したという通知を、近隣のセルから受信し得る。いくつかの実例において、ＮＭは、局所的にこの変更されたステータスを保存することができ、他の実例において、ＮＭは、停止を経験しているセルのＩＲＰエージェント６０５０と、２つ以上のセルが補償されることを必要としているかどうかを判定するのにそのセルの補償ステータスを判定するために、交信することができる。
【００１５】
ここで図７を参照すると、本開示のいくつかの実例による、ＩＲＰマネージャの視点からのＣＯＣ補償のための方法７０００のフローチャートが示される。工程７０１０において、第１のセルに関してＣＯＣシステムによってセル停止が検出される。この停止は、基地局（例えば拡張されたノードＢ（ｅノードＢ））から送信された障害、セルと関連付けられた統計データの分析、停止を確認するオペレータなどに基づいて検出され得る。例えば、通常混んでいるセルは使用されないことをほとんど経験していないということを、統計データは示し得る。他の実例において、セル上に活動（activity）があるかもしれないが、しかしスループットが低いことは、過負荷の状態のセルを示唆している。
【００１６】
いくつかの実例では、工程７０２０において、ＣＯＣシステムは、停止状態を経験している第１のセルが別のセルを補償しているかどうかを判定し得る。これは、いくつかの実例において、そのセルを提供するｅノードＢ上のそのセルのためのデータベースに、ＩＲＰエージェントを介して問い合わせを行うことによって実行され得る。他の実例において、ＣＯＣ機能のための管理システムは、セル再設定要求をそのｅノードＢにあらかじめ送信することに基づいて、この状態を保存し得る。もし第１のセルが第２のセルを補償していないならば、工程７０３０において、第１のセルの停止を補償するために、第１のセルの１つ又は複数の近隣のセルの再設定が判定される。その再設定は、工程７０７０において、影響を受けるセルに送信されるとともに、そのセルが別のセルを補償しているという指標（indication）を保存するために、再設定されたセルのためのデータベースが更新されたことを示す１つ又は複数の通知が受信され得る。
【００１７】
工程７０２０において、もし第１のセルが第２のセルを補償しているならば、第１のセル及び第２のセルの両方を補償するために、工程７０４０において、１つ又は複数の近隣のセルの再設定が判定される。工程７０５０において、第２のセルが２つ以上のセル（例えば、セル１及びいくつかの他のセル）によって補償されているならば、それらの他のセルのために再設定が望まれるかもしれない。例えば、もしセルＡがセルＢ及びセルＣによって補償されているならば、そしてもしセルＢが停止を経験するならば、セルＤがセルＡを排他的に補償するように再設定され得るとともに、従ってセルＣがセルＢを排他的に補償するように再設定され得る。もしそうであるならば、工程７０６０において、再設定が必要に応じて判定され得る。工程７０７０において、影響を受けるセルを提供する基地局に要求を送信することによって、セルの再設定が起動される。いくつかの実例では、工程７０８０において、これらのセルは、その結果再設定するとともに、そのセルが１つ又は複数の他のセルを補償していることを示すために、それらのデータベース内の指標をセットする。このステータスがセットされる場合に、いくつかの実例において、基地局は、それらが今補償していることを示す通知を送信し得る。
【００１８】
これらの通知は、ＣＯＣ機能を定義するＩＲＰを作成する情報オブジェクトクラス（ＩＯＣ）内の現存するステータスフィールドを利用し得る。例えば、“cOCStatus”属性は、特定のセルのためのセル停止補償活動に関する情報を保持する。以前のステータスは、ＣＯＣがその特定のセルを補償し始めていたことを示すための“cOCActivating”であり、“cOCActive”は、補償を活性化するための全ての活動が完了され、そしてそのセルは補償されていることを示し、“cOCDeactivating”は、その停止が終わるとともに、補償を解除するための活動が完了したことを示し、“cOCDeactive”は、このセルに関して補償がないことを示すデフォルト状態である。“cOCCompensating”と呼ばれる新しい値が、このセルが別のセルを補償していることを示すために追加されることができる。セルが停止を経験している近隣のセルの補償を始めるときに、“cOCStatus”属性は、“cOCCompensating”に変わるべきであり、そしてセルが近隣のセルの補償を終えるときに、その状態は“cOCDeactive”に戻るべきである。
【００１９】
ここで図８を参照すると、本開示のいくつかの実例による、ＩＲＰエージェントの視点からのＣＯＣのための方法８０００のフローチャートが示される。工程８０１０において、ＩＲＰエージェントは、近隣のセルに関してセル停止を識別し得る。いくつかの実例において、この識別子（identification：証明するもの）は、ＩＲＰマネージャからのメッセージ、例えばＩＲＰエージェントが停止を経験しているセルを補償するようにｅノードＢに関係するセルを再設定するべきであることを示すメッセージである。工程８０２０において、ｅノードＢは、停止を経験しているセルを補償するようにセルを再設定する。工程８０３０において、ｅノードＢは、セルが停止を経験しているセルを補償していることを示すように、セル補償ステータス（いくつかの実例では“cOCstatus”）を修正する（例えば、“cOCstatus＝cOCCOmpensating”）。他の実例において、セルが補償しているセルのセルＩＤが同様に注目され得る。いくつかの実例では、工程８０４０において、データベース値が変えられたという通知が生成される。この通知は、Ｉｔｆ−Ｎインタフェースを介してＩＲＰマネージャに送信され得る。
【００２０】
図９は、本開示のいくつかの実例による一例のＮＭ９０１０及びｅノードＢ９０５０の概略図を示す。ＮＭ９０１０は、判定モジュール９０２０及び通信モジュール９０３０のようなモジュールを含み得る。判定モジュール９０２０は、第１のセルにおける継続的なセル停止を検出し得る。判定モジュール９０２０は、補償するように再設定するための１つ又は複数の第２のセルを判定し得る。例えば、選択されたセルは、補償を提供することが可能である、停止を経験しているセルの隣のセルであり得る。いくつかの実例において、ＮＭ９０１０は、この情報を既に知っているかもしれない。例えば、ＮＭ９０１０がセルの隣接関係を作成し得るので、ＮＭ９０１０は、既に停止を経験しているセルの隣のセルを知っているかもしれず、そして補償する役割を果たすための隣のセルのリストの中から１つ又は複数のセルを選択することができる。他の実例において、ＮＭ９０１０は、隣接関係を作成しなかったか、又は隣接関係の構成を保存しなかったかもしれず、したがって、ＮＭ９０１０は、ｅノードＢ９０５０により提供される特定のセルの隣のセルを判定するために、ｅノードＢ９０５０上の関係性モジュール９１１０に問い合わせを行うことができる。もし第１のセルが１つ又は複数の第３のセルを補償しているならば、判定モジュール９０２０は、停止を経験しているセル及び停止を経験しているセルが補償しているあらゆるセルの両方を補償するように再設定するための１つ又は複数の第２のセルを判定し得る。判定モジュール９０２０は、セルを提供しているｅノードＢからアラームを受信することによってセル停止を検出し得る。他の実例において、判定モジュール９０２０は、セルが期待されるトラフィック量を扱っていないことを示す統計値の分析によってセル停止を検出し得る。通信モジュール９０３０は、１つ又は複数のｅノードＢ９０５０と、Ｉｔｆ−Ｎインタフェース９０４０を介して通信し得る。通信モジュールは、セルを補償するようにセルを再設定するための要求を送信すること、ｅノードＢ９０５０からアラームを受信すること、ｅノードＢ９０５０に保存されるデータベースからのデータベース属性が変わったという通知を受信すること、などを実行するように構成され得る。通信モジュール９０３０は、同様に、ｅノードＢ９０５０に関係する１つ又は複数のデータベースパラメータの値に対する要求を送信し得るとともに、応答としてそれらのパラメータの値を受信し得る。
【００２１】
ｅノードＢ９０５０は、セルのプロビジョニングを通して、１つ又は複数のＵＥ（図示せず）にセルラの接続性（cellular  connectivity）を提供し得る。ｅノードＢは、近隣のセルのセル停止を識別し得るセル停止識別モジュール９０６０のようなモジュールを含み得る。いくつかの実例において、ｅノードＢは、既に説明された関係性モジュール９１１０のような、そのようなモジュールを含み得るとともに、ｅノードＢが停止状態にあるときに補償する役割を果たすことができ得るｅノードＢの近隣のセルを識別し得る。いくつかの実例において、近隣のセルのセル停止は、ＮＭからの又は別のｅノードＢからのメッセージの受信に基づいて識別され得る。実例メッセージは、近隣のセルが停止を経験していることを示す専用のメッセージ、他のｅノードＢからのアラーム、近隣のセルを補償するようにセルを再設定するための再設定メッセージ、などを含み得る。再設定モジュール９０７０は、ｅノードＢ９０５０によってホストされる（hosted：主催される）セルのうちのいずれかを再設定するためのあらゆる要求を処理するとともに、セルを再設定する。特に、データベースモジュール９０９０は、ｅノードＢのステータスと設定情報、及びｅノードＢにより提供されるセルのステータスと設定情報を格納するデータ構造及びフィールドを保存し得る。例えば、データベースモジュールは、ｅノードＢにおいて設定されたセルに関して、セルが別のセルを補償していることを示す値に設定され得るセル毎のステータスエレメント（status  element）であり得るセル補償ステータスを含んでいる情報オブジェクトクラス（ＩＯＣ）を保存し得る。いくつかの実例において、セルが補償しているセルのセルＩＤが同様に含まれ得る。通知モジュール９０８０は、ＮＭ又は他の関与しているもの（例えば、ＩＲＰマネージャ）に対する送信のための１つ又は複数の通知を作成し得る。通知は、アラーム（例えば、セルが停止を経験していることを示すアラーム）、データベースフィールドにおける変化に基づく通知、などを含み得る。通信モジュール９１００は、Ｉｔｆ‐Ｎインタフェースを越えて、ＮＭ又は他の構成要素にメッセージを送信し、ＮＭ又は他の構成要素からメッセージを受信し得る。通信モジュール９１００は、ＮＭ又は他のノードから送信されたデータベースパラメータのうちのいずれか１つの現在の値に対する要求に応答することができ、通信モジュール９１００は、同様に、ＮＭからのデータベースの値を設定するための要求に基づいて、データベースの値を設定することができる。セル停止識別モジュール９０６０、再設定モジュール９０７０、通知モジュール９０８０、通信モジュール９１００、及びデータベースモジュール９０９０によって説明された機能のいくつか又は全ては、ＩＲＰエージェントを構成し得る。同様に、ＮＭ９０１０の判定モジュール９０２０及び通信モジュール９０３０の機能のいくつか又は全ては、ＩＲＰマネージャを構成し得る。
【００２２】
ＬＴＥネットワークのような３ＧＰＰネットワークが説明された一方、本出願人の開示の利益を有する当業者は、ここで説明された方法、システム、及び機械読取り可能媒体が他の無線ネットワークに適用でき得ると認識するであろう。例えば、標準のＩＥＥＥ（Institute  for  Electronics  and  Electrical  Engineers）８０２．１６ファミリーによって定義されるＷｉＭａｘ（登録商標）ネットワーク、標準のＩＥＥＥ８０２．１１ファミリーのような無線ローカルエリアネットワーク（ＷＬＡＮ）標準、標準のモバイル通信用グローバルシステム（Global  System  for  Mobile  Communication：ＧＳＭ（登録商標））ファミリー、標準のユニバーサル移動体通信システム（Universal  Mobile  Telecommunication  System：ＵＭＴＳ）ファミリーのような他のセルラ標準、などがある。
【００２３】
図１０は、ここで論じられた技術（例えば、方法論）のいずれか１つ又は複数が機能し得る一例の機械１００００の構成図を例示する。例えば、図１から図６、及び図９の構成要素のうちのいずれもが、機械１００００の一部分であり得るか、又は機械１００００の一部分を含み得る。これに代る実例において、機械１００００は、独立型の（スタンドアロンの）装置として動作し得るか、又は他の機械に接続され得る（例えば、ネットワーク化され得る）。ネットワーク化された配置において、機械１００００は、サーバマシン、クライアントマシン、基地局、ネットワーク管理局、又はサーバ−クライアントの両方におけるネットワーク環境として動作し得る。一実例において、機械１００００は、ピアツーピア（Ｐ２Ｐ）（又は他の分散型の）ネットワーク環境におけるピアマシン（peer  machine）として動作し得る。機械１００００は、パーソナルコンピュータ（ＰＣ）、タブレット型ＰＣ、セットトップボックス（ＳＴＢ）、携帯情報機器（ＰＤＡ）、携帯電話、ウェブ装置、ネットワークルータ、スイッチ若しくはブリッジ、又は機械によって行われるべき動作を指定する命令を（順次的に、又は別な方法で）実行することが可能である、あらゆる機械であり得る。さらに、単一の機械のみが例示される一方、用語“機械（マシン）”は、同様に、クラウドコンピューティング（cloud  computing）、サース（software  as  a  service：ＳａａＳ）、他のコンピュータクラスタ構成のような、ここで論じられた方法論のいずれか１つ又は複数を遂行するために、個別に又は合同で命令のセット（又は複数のセット）を実行する機械のあらゆる集まりを含むと解釈されるべきである。
【００２４】
実例は、ここで説明されたように、ロジック若しくは複数のコンポーネント、モジュール、又はメカニズムを含み得るか、あるいは、ロジック若しくは複数のコンポーネント、モジュール、又はメカニズム上で動作し得る。モジュールは、指定された動作を実行することができる有形の構成要素（例えば、ハードウェア）であり、ある方法において構成され得るか又は配置され得る。一例において、モジュールとして、（例えば、内部に、又は他の回路のような外部の構成要素に対して）指定された方法で回路が配置され得る。一例において、１つ若しくは複数のコンピュータシステム（例えば、独立型のクライアント又はサーバのコンピュータシステム）の全体若しくは一部分、又は、１つ若しくは複数のハードウェアプロセッサは、ファームウェア又はソフトウェア（例えば、命令、アプリケーション部分、又はアプリケーション）によって、指定された動作を遂行するように機能するモジュールとして設定され得る。一例において、ソフトウェアは、機械読取り可能媒体上に存在し得る。一例において、ソフトウェアは、モジュールの内在するハードウェアによって実行された場合に、指定された動作をハードウェアに実行させる。
【００２５】
したがって、用語“モジュール”は、指定された方法で動作するか、又はここで説明されたあらゆる動作の一部分又は全てを遂行するように、物理的に組み立てられるか、具体的に構成される（例えば、ハードウェアにより実現される）か、又は一時的に（例えば、非常に短い時間の間（transitorily））構成される（例えば、プログラムされる）構成要素である、有形の構成要素を包含すると理解される。モジュールが一時的に形成される実例を考慮すると、モジュールの各々は、時間のあらゆる瞬間において、具体例をあげて示される必要はない。例えば、モジュールがソフトウェアを用いて構成された多目的のハードウェアプロセッサを含む場合、多目的のハードウェアプロセッサは、異なる時刻において、それぞれの異なるモジュールとして設定され得る。ソフトウェアは、したがって、例えば、ある時刻の場合に特定のモジュールを構成し、別の時刻の場合に異なるモジュールを構成するように、ハードウェアプロセッサを設定し得る。
【００２６】
機械（例えば、コンピュータシステム）１００００は、ハードウェアプロセッサ１０００２（例えば、中央演算処理装置（ＣＰＵ）、グラフィック処理装置（ＧＰＵ）、ハードウェアプロセッサコア、又はそれらのあらゆる組み合わせ）と、メインメモリ１０００４と、スタティックメモリ１０００６とを含むことができ、そのいくつか又は全ては、インターリンク（例えば、バス）１０００８を介して相互に通信し得る。機械１００００は、ディスプレイ装置１００１０、文字数字式入力装置１００１２（例えば、キーボード）、及びユーザインタフェース（ＵＩ）ナビゲーション装置１００１４（例えば、マウス）を更に含み得る。一例において、ディスプレイ装置１００１０、入力装置１００１２、及びＵＩナビゲーション装置１００１４は、タッチスクリーンディスプレイであり得る。機械１００００は、記憶装置（例えば、ドライブユニット）１００１６、信号発生装置１００１８（例えば、スピーカ）、ネットワークインタフェース装置１００２０、及び全地球測位システム（ＧＰＳ）センサ、コンパス、加速度計、又は他のセンサのような１つ又は複数のセンサ１００２１を追加として含み得る。機械１００００は、１つ若しくは複数の周辺装置（例えば、プリンタ、カードリーダなど）と通信するか又は当該周辺装置を制御するためのシリアル接続（ユニバーサルシリアルバス（ＵＳＢ））、パラレル接続、又は、他の有線接続若しくは無線接続（例えば赤外線（ＩＲ）、近距離無線通信（near  field  communication：ＮＦＣなど）のような、出力コントローラ１００２８を含み得る。
【００２７】
記憶装置１００１６は、ここで説明された技術若しくは機能のうちのいずれか１つ若しくは複数を具体化するか、又はここで説明された技術若しくは機能のうちのいずれか１つ若しくは複数によって利用されるデータ構造又は命令１００２４（例えば、ソフトウェア）の１つ又は複数のセットが記録される機械読取り可能媒体１００２２を含み得る。命令１００２４は、同様に、完全に又は少なくとも部分的に、メインメモリ１０００４の中に、スタティックメモリ１０００６の中に、又は機械１００００による命令の実行の間、ハードウェアプロセッサ１０００２の中に存在し得る。一例において、ハードウェアプロセッサ１０００２、メインメモリ１０００４、スタティックメモリ１０００６、又は記憶装置１００１６の１つの又はあらゆる組み合わせは、機械読取り可能媒体を構成し得る。
【００２８】
機械読取り可能媒体１００２２が単一の媒体として例示される一方、用語“機械読取り可能媒体”は、１つ又は複数の命令１００２４を記憶するように構成された単一の媒体又は複数の媒体（例えば、集中型若しくは分散型データベース、及び／又は、関連するキャッシュとサーバ）を含み得る。
【００２９】
用語“機械読取り可能媒体”は、本開示の技術のうちのいずれか１つ又は複数を機械１００００に遂行させる、機械１００００による実行のための命令を記録すること、若しくはコード化すること、若しくは伝送することが可能であるか、又は、そのような命令によって使用されるデータ構造、若しくはそのような命令と関連付けられたデータ構造を記録すること、若しくはコード化すること、若しくは伝送することが可能である、あらゆる媒体を含み得る。限定されない機械読取り可能媒体の例は、ソリッドステートメモリ（solid-state  memory：半導体メモリ）、そして光学媒体及び磁気媒体を含み得る。機械読取り可能媒体の特定の実例は、同様に、半導体メモリ装置（例えば、電気的プログラマブル読取り専用メモリ（ＥＰＲＯＭ）、電気的消去可能プログラマブルＲＯＭ（ＥＥＰＲＯＭ））、そしてフラッシュメモリ装置のような不揮発性メモリ、内蔵ハードディスク及び取外し可能ディスクのような磁気ディスク、光磁気ディスク、ランダムアクセスメモリ（ＲＡＭ）、そしてＣＤ−ＲＯＭ及びＤＶＤ−ＲＯＭディスクを含み得る。
【００３０】
命令１００２４は、複数の転送プロトコル（例えば、フレームリレー、インターネットプロトコル（ＩＰ）、伝送制御プロトコル（ＴＣＰ）、ユーザデータグラムプロトコル（ＵＤＰ）、ハイパーテキスト転送プロトコル（ＨＴＴＰ）など）のうちのいずれか１つを利用するネットワークインタフェース装置１００２０を通って、伝送媒体を使用して、通信ネットワーク１００２６を介して、更に送信され得るか、又は受信され得る。実例の通信ネットワークは、特に、ローカルエリアネットワーク（ＬＡＮ）、広域ネットワーク（ＷＡＮ）、パケットデータネットワーク（例えば、インターネット）、携帯電話ネットワーク（例えば、セルラネットワーク）、従来型電話（Plain  Old  Telephone：ＰＯＴＳ）ネットワーク、及び無線データネットワーク（例えば、Ｗｉ−Ｆｉ（登録商標）として知られている標準のＩＥＥＥ（Institute  for  Electronics  and  Electrical  Engineers）８０２．１１ファミリー、ＷｉＭａｘ（登録商標）として知られている標準のＩＥＥＥ８０２．１６ファミリー）、標準のＩＥＥＥ８０２．１５．４ファミリー、ピアツーピア（Ｐ２Ｐ）ネットワークを含む。一例において、ネットワークインタフェース装置１００２０は、通信ネットワーク１００２６に接続するための、１つ若しくは複数の物理的ジャック（jack：差し込み口）（例えば、イーサネット（登録商標）、同軸ケーブル、若しくは電話ジャック）、又は、１つ若しくは複数のアンテナを含み得る。一例において、ネットワークインタフェース装置１００２０は、単一入力複数出力（single-input  multiple-output：ＳＩＭＯ）、複数入力複数出力（multiple-input  multiple-output：ＭＩＮＯ）、複数入力単一出力（multiple-input  single-output：ＭＩＳＯ）技術のうちの少なくとも１つを使用して無線で通信するための複数のアンテナを含み得る。用語“伝送媒体”は、機械１００００による実行のための命令を記録すること、若しくはコード化すること、若しくは伝送することが可能であるとともに、デジタル通信信号若しくはアナログ通信信号、又はそのようなソフトウェアの通信を容易にするための他の無形の媒体を含む、あらゆる無形の媒体を含むと解釈されるべきである。
【００３１】
「他の実例」
下記は、非限定的な実例である。
【００３２】
実例１は、（例えばｅノードＢなどの装置、器具、又は機械のような）主題であって、近隣のセルの継続的なセル停止を識別するように構成されたセル停止識別モジュールと、上記近隣のセルの継続的なセル停止を識別することに応答して、上記近隣のセルを補償するように、当該ｅノードＢにより提供されるセルを再設定するように構成された再設定モジュールと、上記セルが上記近隣のセルを補償していることを示すように、当該ｅノードＢにより提供される上記セルに関してセル補償ステータスの状態を修正するように構成されたデータベースモジュールと、上記セル補償ステータスの状態が変更されたことを示す、管理エンティティに対する通知を生成するように構成された通知モジュールとを備える主題を含む。
【００３３】
実例２において、実例１の主題は、上記通知モジュールがインタフェース−Ｎ（Ｉｔｆ−Ｎ）を越えて上記通知を送信することを、任意に含み得る。
【００３４】
実例３において、実例１又は２のいずれか一つの主題は、上記通知がＩＲＰマネージャに送信されることを、任意に含み得る。
【００３５】
実例４において、実例１から３のいずれか一つの主題は、上記再設定モジュールが、上記セルを再設定するために、送信電力、アンテナ傾斜、及びアンテナ方位のうちの少なくとも１つを変更するように構成されることを、任意に含み得る。
【００３６】
実例５において、実例１から４のいずれか一つの主題は、上記ｅノードＢが、上記セルの上記セル補償ステータスを示してステータス要求に返答するように構成されたステータスモジュールを含むことを、任意に含み得る。
【００３７】
実例６において、実例１から５のいずれか一つの主題は、上記近隣のセルが第２の近隣のセルを補償する近隣のセルであり、上記再設定モジュールが、上記近隣のセル及び上記第２の近隣のセルの少なくとも一部分を補償するように、上記セルを再設定するように構成されることを、任意に含み得る。
【００３８】
実例７において、実例１から６のいずれか一つの主題は、上記セル停止識別モジュールが、Ｉｔｆ−Ｎインタフェースを介して受信されたメッセージに基づいてセル停止を識別するように構成されることを、任意に含み得る。
【００３９】
実例８において、実例１から７のいずれか一つの主題は、上記メッセージが、上記ｅノードＢにより提供される上記セルが上記近隣のセルを補償するように再設定されるべきであることを示すメッセージであることを、任意に含み得る。
【００４０】
実例９において、実例１から８のいずれか一つの主題は、上記セル補償ステータスの状態が情報オブジェクトクラス（ＩＯＣ）の一部分であることを、任意に含み得る。
【００４１】
実例１０は、管理コンポーネントから受信されたメッセージに基づいて近隣のセルの継続的なセル停止を識別する段階と、上記近隣のセルの継続的なセル停止を識別することに応答して、上記近隣のセルを補償するように、ｅノードＢにより提供されるセルの動作パラメータを修正する段階と、上記セルが上記近隣のセルを補償していることを示すように、上記ｅノードＢにより提供される上記セルに関してセル補償ステータスの状態を更新する段階と、上記セル補償ステータスの状態が変更されたことを示して管理エンティティに通知する段階とを含む（方法、動作を実行するための手段、機械によって実行されたときに上記機械に動作を実行させる命令を含む機械読取り可能媒体、又は実行するように構成された器具のような）主題を含むように、実例１から９のいずれか一つの主題を含むか、又は実例１から９のいずれか一つの主題と任意に結合され得る。
【００４２】
実例１１において、実例１から１０のいずれか一つの主題は、上記通知がインタフェース−Ｎ（Ｉｔｆ−Ｎ）を越えて送信されることを、任意に含み得る。
【００４３】
実例１２において、実例１から１１のいずれか一つの主題は、上記通知がＩＲＰマネージャに送信されることを、任意に含み得る。
【００４４】
実例１３において、実例１から１２のいずれか一つの主題は、上記動作パラメータが、送信電力、アンテナ傾斜、及びアンテナ方位のうちの１つであることを、任意に含み得る。
【００４５】
実例１４において、実例１から１３のいずれか一つの主題は、上記セル補償ステータスを要求するステータス要求を受信する段階と、上記ステータス要求を受信することに応答して、上記セルの上記セル補償ステータスに従って上記ステータス要求に返答する段階とを、任意に含み得る。
【００４６】
実例１５において、実例１から１４のいずれか一つの主題は、上記近隣のセルが第２の近隣のセルを補償する近隣のセルであり、上記セルを修正する上記段階が、上記近隣のセル及び上記第２の近隣のセルの少なくとも一部分を補償するように上記セルを修正する段階を含むことを、任意に含み得る。
【００４７】
実例１６において、実例１から１５のいずれか一つの主題は、上記管理コンポーネントから受信された上記メッセージが、Ｉｔｆ−Ｎインタフェースを介して受信されることを、任意に含み得る。
【００４８】
実例１７において、実例１から１６のいずれか一つの主題は、上記メッセージが、上記ｅノードＢにより提供される上記セルが上記近隣のセルを補償するように再設定されるべきであることを示すメッセージであることを、任意に含み得る。
【００４９】
実例１８において、実例１から１７のいずれか一つの主題は、上記セル補償ステータスの状態が情報オブジェクトクラス（ＩＯＣ）の一部分であることを、任意に含み得る。
【００５０】
実例１９は、無線ネットワーク内の第１のセルに関して継続的なセル停止を検出し、上記セル停止を補償するための第２のセルの再設定を判定するように構成された判定モジュールと、上記第２のセルを制御しているネットワークノードに上記第１のセルの上記セル停止を補償するように要求を送信し、上記第２のセルを制御している上記ネットワークノードから、上記第２のセルが上記第１のセルの上記セル停止を補償していることを示す値に上記第２のセルと関連付けられたデータベースの属性が変更されたことを示す通知を受信するように構成された通信モジュールとを備える（例えばネットワーク管理エンティティなどの装置、器具、又は機械のような）主題を含むように、実例１から１８のいずれか一つの主題を含むか、又は実例１から１８のいずれか一つの主題と任意に結合され得る。
【００５１】
実例２０において、実例１から１９のいずれか一つの主題は、上記判定モジュールが、セル統計値を利用することによって上記セル停止の存在を判定するように構成されることを、任意に含み得る。
【００５２】
実例２１において、実例１から２０のいずれか一つの主題は、上記判定モジュールが、上記通信モジュールによって受信されたアラームに応答して上記セル停止の存在を判定するように構成されることを、任意に含み得る。
【００５３】
実例２２において、実例１から２１のいずれか一つの主題は、上記通信モジュールが、上記第２のセルが上記第１のセルの上記セル停止をもはや補償していないことを示す通知を受信するように構成されることを、任意に含み得る。
【００５４】
実例２３において、実例１から２２のいずれか一つの主題は、上記制御モジュールが上記第２のセルにおける停止の存在を判定するように構成されることを、任意に含み得る。
【００５５】
実例２４において、実例１から２３のいずれか一つの主題は、上記通信モジュールが、上記第２のセルが上記第１のセルを補償していることを判定するために、上記第２のセルに問い合わせを行うように構成されることを、任意に含み得る。
【００５６】
実例２５において、実例１から２４のいずれか一つの主題は、上記制御モジュールが、上記第１及び第２のセルを補償するための１つ又は複数の他のセルを判定するように構成されることを、任意に含み得る。
【００５７】
実例２６において、実例１から２５のいずれか一つの主題は、当該ネットワーク管理エンティティ及び上記第２のセルを制御している上記ネットワークノードが、Ｉｔｆ−Ｎインタフェースを使用して通信することを、任意に含み得る。
【００５８】
実例２７において、実例１から２６のいずれか一つの主題は、上記第２のセルを制御している上記ネットワークノードがｅノードＢであることを、任意に含み得る。
【００５９】
実例２８は、無線ネットワーク内の第１のセルに関して継続的なセル停止を検出する段階と、上記セル停止を補償するための第２のセルの再設定を判定する段階と、上記第２のセルを制御しているネットワークノードに上記第１のセルの上記セル停止を補償するように要求を送信する段階と、上記第２のセルを制御している上記ネットワークノードから、上記第２のセルが上記第１のセルの上記セル停止を補償していることを示す値に上記第２のセルと関連付けられたデータベースの属性が変更されたことを示す通知を受信する段階とを含む（方法、動作を実行するための手段、機械によって実行されたときに上記機械に動作を実行させる命令を含む機械読取り可能媒体、又は実行するように構成された器具のような）主題を含むように、実例１から２７のいずれか一つの主題を含むか、又は実例１から２７のいずれか一つの主題と任意に結合され得る。
【００６０】
実例２９において、実例１から２８のいずれか一つの主題は、セル統計値を少なくとも利用することによって上記セル停止の存在を判定する段階を、任意に含み得る。
【００６１】
実例３０において、実例１から２９のいずれか一つの主題は、無線ネットワーク内の第１のセルに関して継続的なセル停止を検出する上記段階が、受信されたアラームに応答して上記セル停止の存在を判定する段階を含むことを、任意に含み得る。
【００６２】
実例３１において、実例１から３０のいずれか一つの主題は、上記第２のセルが上記第１のセルの上記セル停止をもはや補償していないことを示す通知を受信する段階を、任意に含み得る。
【００６３】
実例３２において、実例１から３１のいずれか一つの主題は、上記第２のセルにおける停止の存在を判定する段階を、任意に含み得る。
【００６４】
実例３３において、実例１から３２のいずれか一つの主題は、上記第２のセルが上記第１のセルを補償していることを判定するために、上記第２のセルに問い合わせを行う段階を、任意に含み得る。
【００６５】
実例３４において、実例１から３３のいずれか一つの主題は、上記第１及び第２のセルを補償するための１つ又は複数の他のセルを判定する段階を、任意に含み得る。
【００６６】
実例３５において、実例１から３４のいずれか一つの主題は、当該ネットワーク管理エンティティ及び上記第２のセルを制御している上記ネットワークノードが、Ｉｔｆ−Ｎインタフェースを使用して通信することを、任意に含み得る。
【００６７】
実例３６において、実例１から３５のいずれか一つの主題は、上記第２のセルを制御している上記ネットワークノードがｅノードＢであることを、任意に含み得る。
【００６８】
実例３７において、実例１から３６のいずれか一つの主題は、上記セルの上記動作パラメータが、もはや停止していない隣のセルを補償することを止めるように修正され得ることを、任意に含み得る。
【００６９】
実例３８において、実例１から３７のいずれか一つの主題は、上記セルが上記近隣のセルを補償するのをやめたことを示すように、上記セルに関して上記セル補償ステータスの状態を更新する段階を、任意に含み得る。
【符号の説明】
【００７０】
６０００    ＬＴＥ無線ネットワーク
６０１０、６０１５    ｅノードＢ
６０２０    ネットワークマネージャ（ＮＭ）
６０３０    Ｉｔｆ−Ｎインタフェース
６０４０    エレメントマネージャ（ＥＭ）
６０５０    ＩＲＰエージェント
６０６０    デバイスマネージャ（ＤＭ）
９０１０    ネットワークマネージャ（ＮＭ）
９０２０    判定モジュール
９０３０    通信モジュール
９０５０    ｅノードＢ
９０６０    セル停止識別モジュール
９０７０    再設定モジュール
９０８０    通知モジュール
９０９０    データベースモジュール
９１００    通信モジュール
９１１０    関係性モジュール
１００００    機械
１０００２    ハードウェアプロセッサ
１０００４    メインメモリ
１０００６    スタティックメモリ
１０００８    インターリンク
１００１０    ディスプレイ装置
１００１２    文字数字式入力装置
１００１４    ユーザインタフェース（ＵＩ）ナビゲーション装置
１００１６    記憶装置（ドライブユニット）
１００１８    信号発生装置
１００２０    ネットワークインタフェース装置
１００２１    センサ
１００２２    機械読取り可能媒体
１００２４    命令
１００２６    通信ネットワーク
１００２８    出力コントローラ
【図１】
0005960365.tif 000002
【図２】
0005960365.tif 000003
【図３】
0005960365.tif 000004
【図４】
0005960365.tif 000005
【図５】
0005960365.tif 000006
【図６】
0005960365.tif 000007
【図７】
0005960365.tif 000008
【図８】
0005960365.tif 000009
【図９】
0005960365.tif 000010
【図１０】
0005960365.tif 000011